(57)【特許請求の範囲】
【請求項１】
前パネル（２）と、裏壁（３）と、二つの側壁（４）と、を備え、
中空構造を有する取付けフレーム（５）が、少なくとも一方の前記側壁（４）の上方に設けられており、
前記取付けフレーム（５）が、調節装置（６）により、前記前パネル（２）に繋がれている、引き出しであって、
前記調節装置（６）が、搬送部（８）と、スライド（９）と、を有し、
前記搬送部（８）は、前記取付けフレーム（５）の内部に固定されており、
前記スライド（９）は、アクチュエータ（１０）によって前記取付けフレーム（５）の長手方向に移動可能であり、かつ、カップリング部（１２）を有し、
前記カップリング部（１２）の輪郭が、前記取付けフレーム（５）の中空部分の縦断面または前記取付けフレーム（５）の外輪郭に対応し、
前記取付けフレーム（５）の長手軸方向に沿った前記カップリング部（１２）の長さが、前記アクチュエータ（１０）によって調節可能な最大の長さよりも長く、
前記カップリング部（１２）の前記前パネル側における端部が、前記前パネル（２）に、互いの面が面一になるように当接し、摩擦力および／または嵌合によって、前記前パネル（２）に据付けてある繋ぎ部（７）に固定され、前記繋ぎ部（７）が前記カップリング部（１２）により覆われている、ことを特徴とする引き出し（１）。
【請求項２】
前記搬送部（８）およびコネクタ（１４）が、固定手段（１１）によって、前記取付けフレーム（５）の内部に固定されていることを特徴とする、請求項１に記載の引き出し。
【請求項３】
前記搬送部（８）および前記コネクタ（１４）が固定ねじ（１１、１６）で前記取付けフレーム（５）の内部に固定され、前記固定ねじ（１１、１６）は、前記取付けフレーム（５）の底部（５ａ）を貫通していることを特徴とする、請求項１または２に記載の引き出し。
【請求項４】
前記取付けフレーム（５）の後端部の領域において、前記コネクタ（１４）の一部が前記取付けフレーム（５）に挿入され、前記取付けフレーム（５）の内部に前記ねじ（１６）で固定されており、前記コネクタ（１４）を、前記引き出し（１）の前記裏壁（３）に据付けられているラッチ部（１５）に、摩擦力および／または嵌合によって、繋ぐことができることを特徴とする、請求項１〜３の何れか一つに記載の引き出し。
【請求項５】
前記アクチュエータ（１０）が、偏心型タペットとして構成されていることを特徴とする、請求項１〜４の何れか一つに記載の引き出し。
【請求項６】
前記取付けフレーム（５）が、金属製であることを特徴とする、請求項１〜５の何れか一つに記載の引き出し。
【発明の詳細な説明】
【技術分野】
【０００１】
本発明は、前パネルと裏壁と２つの側壁とを備えた引き出しであって、中空構造を有する取付けフレームが少なくとも一方の側壁の上方に設けられており、取付けフレームが調節装置により前パネルに繋がれていることを特徴とする。
【背景技術】
【０００２】
上記のような引き出しは、例えば、ＤＥ ９１ ０９ ６４８ Ｕ１（特許文献１）により公知である。この引き出しにおいて、取付けフレームは、側壁の上部で長手方向に沿って変位自在に取付けられ、また、調節装置は側壁の上側においてしっかりと取付けられている。
【０００３】
ＥＰ １ １５１ ６９７ Ｂ１（特許文献２）により公知なのは、板状部材である取付けフレームを有する引き出しである。この引き出しにおいて、取付けフレームの一部、即ち、前パネル側にある端部は、調節装置を格納するハウジングで囲われている。
【先行技術文献】
【特許文献】
【０００４】
【特許文献１】独国実用新案出願公開第９１０９６４８号明細書
【特許文献２】欧州特許第１１５１６９７号明細書
【発明の概要】
【発明が解決しようとする課題】
【０００５】
本発明の目的は、取付けフレームを見栄えよく前パネルに取付けることができる一般的な引き出しを提供することである。この引き出しにおいて、取付けフレームは、その中空構造により調節可能であり、また、側壁に頼らずに前パネルに取付けることができる。
【課題を解決するための手段】
【０００６】
上記の目的は、本発明の以下の特徴によって実現される。
本発明において、調節装置は搬送部とスライドとを有する。搬送部は、取付けフレームに専属するもの（exclusively）として、取付けフレームの内部に固定されている。スライドは、アクチュエータによって取付けフレームの長手方向に移動可能であり、かつ、カップリング部を有する。カップリング部の輪郭は、取付けフレームの中空部分の縦断面または取付けフレームの外輪郭に対応する。カップリング部の取付けフレームの長手軸方向に沿った長さは、アクチュエータによって調節が可能な最大の長さよりも長い。カップリング部の前パネル側における端部は、前パネルに、互いの面が面一になるように当接し、また、摩擦力および／または嵌合（non-positively and/or positively）によって、前パネルに据付けてある繋ぎ部に固定され、これにより、繋ぎ部がカップリング部により覆われている。
【０００７】
上記の設計によって、取付けフレームの前パネルへの取付けは、その側壁への取付けに頼らずに行うことができる。また、取付けフレームと前パネルとが繋がっている領域において、見栄えの良さが得られる。即ち、前パネルとそれに対向する取付けフレームの端部とを合わせる調節時でさえ、カップリング部の存在によって、両者の間には全く隙間ができない。また、カップリング部の縦断面の形状は、取付けフレームの内輪郭の形状と同じである。これにより、取付けフレームを調節装置で調節する必要がある場合、取付けフレームの壁厚に匹敵する小さい肩部が形成される。
【０００８】
あるいは、カップリング部の縦断面の形状を、取付けフレーム（attachment part）の外輪郭の形状と同じにしてもよい。これにより、取付けフレームを調節装置で調節する必要がある場合、カップリング部の壁厚に匹敵する小さい肩部を形成させることが可能となる。
【０００９】
本発明の上記以外の特徴は、従属請求項に記載されている。
本発明の代表的な実施形態を添付の図面に示し、以下にて詳細に説明する。
【図面の簡単な説明】
【００１０】
【図１】本発明に係る引き出しの部分斜視図であり、一方の側壁の上部に第一取付けフレームを設けた状態を示す図である。
【図２】図１に対応する引き出しの斜視図であり、もう一方の側壁の上部に設ける第二取付けフレームが組み立て前の位置に配置された状態を示す図である。
【図３】図１および図２に対応する引き出しの斜視図であり、両方の側壁の上部に取付けフレームが完全に取付けられ、さらに、取付けフレーム用の調節装置をツールにより作動させている状態を示す図である。
【図４】図１〜図３に係る引き出しの、前パネル側における領域を示す部分拡大図であり、ただし、前パネルに対して調節される取付けフレームの位置は、図３のものと異なる。
【図５】本発明に係る引き出しの取付けフレームの分解組立図である。
【図６】取付けフレームを下方から見た斜視図である。
【図７】図５のカップリング部を具備するスライドの拡大図である。
【図８】前パネルに据付可能な繋ぎ部の斜視図である。
【発明を実施するための形態】
【００１１】
図１〜図３に示す引き出し１は、前パネル２と裏壁３と二つの側壁４とを有し、各側壁４の上部には取付けフレーム５が設けられる。
【００１２】
図５および図６から明確であるように、各取付けフレーム５は中空構造を有し、その縦断面の形状はほぼ閉じられたものである。
【００１３】
本発明の設計で特に重要なのは、各取付けフレーム５の、前パネル２への繋がり方である。
各取付けフレーム５の前パネル２への繋がりは、調節装置６（図５参照）および繋ぎ部７によって実現される。繋ぎ部７は、図８の斜視図に示すものであり、図１に示す位置において前パネル２に据付けられる。
【００１４】
図５に戻ると、調節装置６が搬送部８とスライド９とアクチュエータ１０とから構成されていることがわかる。搬送部８は、取付けフレーム５の底部５ａ（図６参照）を貫通する固定ねじ１１で、取付けフレーム５の内部に固定される。この固定は、取付けフレーム５が取付けられた状態の場合、取付けフレーム５内に搬送部８が固定されていることが見えなくなるように、また、取付けフレーム５の底部５ａが側壁４の上部と直接対向するように行われる。
【００１５】
スライド９は、取付けフレーム５の長手軸方向に沿って変位自在になるように、搬送部８に嵌入される。そのようなスライド９は、アクチュエータ１０によって、取付けフレーム５の長手軸方向に沿って、限られた範囲内で変位が可能である。アクチュエータ１０は、偏心型タペットとして構成されていることが好ましい。
【００１６】
スライド９には、カップリング部１２が備えられている。カップリング部１２の輪郭は、取付けフレーム５の中空部分の縦断面に対応する。また、カップリング部１２の取付けフレーム５の長手方向における長さは、アクチュエータ１０によって調節が可能な最大の長さよりも長い。即ち、カップリング部１２の一部は、常に（continuously）取付けフレーム５の内部に納まっている。
【００１７】
取付けフレーム５が取付けられた状態の場合、カップリング部１２は、前パネル２と面一になっており、また、摩擦力および／または嵌合によって繋ぎ部７に固定されている。また、カップリング部１２は、取付けフレーム５が取付けられた状態の場合、前パネル２上の繋ぎ部７を完全に覆う構成となっている。即ち、取付けフレーム５が取付けられた状態の場合、繋ぎ部７は、外観上、見えない状態である。
【００１８】
上記によって、取付けフレーム５は調節装置６によって前パネル２にしっかりと繋がれ、それとともに前パネル２の傾きが調節可能となる。このために必要なことは、単にアクチュエータ１０をツール１３で作動させることである。この作動によって、カップリング部１２は取付けフレーム５から多かれ少なかれ外側へ移動し、その結果、前パネル２と取付けフレーム５の前パネル側端部との間の距離を変えることができる。この際、前パネル２と取付けフレーム５との間には、目でわかるような隙間は発生しない。なぜなら、取付けフレーム５の輪郭とカップリング部１２とが連続しているかのように見え、また、取付けフレーム５からカップリング部１２に続く部分に形成されるのは、取付けフレーム５の壁厚による小さい肩部のみだからである。この肩部によって見栄えが損なわれることはない。
【００１９】
また、取付けフレーム５の後端部の領域において、各取付けフレーム５は、ねじを使用しない方法で裏壁３に取付けられる。即ち、取付けフレーム５の後端部に取付けられているコネクタ１４と、裏壁３に据付けられているラッチ部１５とが、摩擦力および／または嵌合によって繋がれる。
【００２０】
コネクタ１４は、搬送部８と同様に、取付けフレーム５の内部に挿入され、固定ねじ１１と同じように取付けフレーム５の底部５ａを貫通する固定ねじ１６で固定される。あるいは、上記以外の固定方法、即ち、接着、ロック機構、リベット打ちなどで、コネクタ１４を、摩擦力、嵌合またはシームレスな形で、搬送部８と同じように取付けフレーム５に繋いでもよい。
【００２１】
調節装置６の構成部材、少なくとも搬送部８およびスライド９は、プラスチック製であることが好ましい。また、荷重負担能力を考慮して、調節装置６のアクチュエータ１０を金属製にすると効果が上がると考えられる。
【００２２】
取付けフレーム５を裏壁３に取付けるためのコネクタ１４およびラッチ部１５も、プラスチック製であることが好ましい。
【００２３】
調節装置６を前パネル２に取付けるための繋ぎ部７もまた、プラスチック製であることが好ましい。
【００２４】
取付けフレーム５自体は金属製であることが好ましいが、プラスチック製であっても問題ない。
【００２５】
特に、取付けフレーム５を裏壁３に取付ける接続手段であるコネクタ１４およびラッチ部１５は、互いに縦方向に押し合うことによって、摩擦力および／または嵌合によって繋がる構成であってもよい。上記以外では、コネクタ１４およびラッチ１５を一つの部材として設計してもよく、または、取付けフレーム５を裏壁３に取付ける前に、取付けフレーム５を水平方向の軸に沿ってピボットさせることで二つを合わせてもよい。
【００２６】
以上を総合すると、本発明に係る設計の大きな利点は、取付けフレーム５を側壁４の上部に取付ける際に、両者間の繋がりが不要な点にあり、また、取付けフレーム５と前パネル２との間の繋がりが調節可能であり、且つ、両者間に隙間がないように見え、見栄えも良く、シンプルな設計である点にある。
【符号の説明】
【００２７】
１：引き出し、２：前パネル、３：裏壁、４：側壁、５：取付けフレーム、５ａ：底部、６：調節装置、７：繋ぎ部、８：搬送部、９：スライド、１０：アクチュエータ、１１：固定ねじ、１２：カップリング部、１３：ツール、１４：コネクタ、１５：ラッチ部、１６：固定ねじ
【図１】
0005993445.tif 000002
【図２】
0005993445.tif 000003
【図３】
0005993445.tif 000004
【図４】
0005993445.tif 000005
【図５】
0005993445.tif 000006
【図６】
0005993445.tif 000007
【図７】
0005993445.tif 000008
【図８】
0005993445.tif 000009